(57)【特許請求の範囲】
【請求項１】
記憶媒体の記録または再生いずれか一方或いは両方のアクセスが可能な本体と、
前記本体内にフローティング（浮遊）状態に支持されて衝撃を緩和することで前記記憶媒体を載置して前記アクセスを行うとともに一端に切り欠いた凹部を有したフローティングシャーシと、
前記フローティングシャーシに配置されて前記記憶媒体の状態を感知して駆動する駆動源と、
前記フローティングシャーシに摺動可能に支持されて一端を前記駆動源に係合して他端に前記凹部で出没するロック部を有したロックアームとを備え、
前記ロックアームが前記駆動源により駆動して前記記憶媒体のアクセス時に前記ロック部を前記凹部内に収納して前記フローティングシャーシをフローティング状態にするとともに、前記記憶媒体の排出時に前記ロック部を前記凹部から前記フローティングシャーシの一端に摺動させて前記本体との隙間に介在させることでフローティング状態をロックするように設け、
前記フローティングシャーシには、前記凹部を形成した一端側に前記ロックアームのロック部が離れることなく当接して摺動するように、前記ロック部側を付勢する弾性部材または前記ロック部側を誘導する誘導溝のいずれかを設けたことを特徴とするフローティングロック装置。
【請求項２】
請求項１に記載のフローティングロック装置において、
前記駆動源は、前記記憶媒体の状態によって駆動して動力を伝達するモータと、前記モータの動力を減速する複数の歯車からなるギヤとを有し、前記ギヤにカム溝を設けて前記ロックアームの一端を係合することで前記ギヤの回転により前記ロックアームが摺動するように設けたことを特徴とするフローティングロック装置。
【請求項３】
請求項１に記載のフローティングロック装置において、
前記駆動源は、前記記憶媒体の状態によって駆動して動力を伝達するモータと、前記モータに歯車を介して係合するスライドカムとを有し、前記スライドカムにカム溝を設けて前記ロックアームの一端を係合することで前記スライドカムのスライドにより前記ロックアームが摺動するように設けたことを特徴とするフローティングロック装置。
【請求項４】
請求項２または３のいずれか一方に記載のフローティングロック装置において、
前記ロックアームは、前記ギヤまたはスライドカムいずれかのカム溝に係合する一端を更に前記フローティングシャーシに形成したガイド溝に係合し、この一端を前記カム溝により誘導して前記ガイド溝に沿って摺動するように設けたことを特徴とするフローティングロック装置。
【請求項５】
請求項１に記載のフローティングロック装置において、
前記フローティングシャーシは、前記本体内でダンパなどの弾性体によりフローティング状態に支持していることを特徴とするフローティングロック装置。
【請求項６】
請求項１に記載のフローティングロック装置において、
前記本体は、ＭＤ、ＣＤ、ＤＶＤなどのディスクからなる記憶媒体を記録または再生いずれか一方或いは両方のアクセスが可能な装置の本体であることを特徴とするフローティングロック装置。
【発明の詳細な説明】
【０００１】
【発明の属する技術分野】
本発明は、フローティングロック装置に関する。
【０００２】
【従来の技術】
例えば、ＭＤ、ＣＤ、ＤＶＤなどのディスクからなる記憶媒体を記録または再生のいずれか一方或いは両方のアクセスを行う装置の本体内には、ダンパなどの弾性体によりフローティング（浮遊）状態に支持したフローティングシャーシを設け、この上に記憶媒体を載置してアクセス（記録・再生）することで振動等の衝撃を十分に吸収する構造がよく用いられている。これにより本体内では、記憶媒体から正確に情報を読み取り確実にアクセスを実行することが可能となる。
【０００３】
しかし、アクセスが終了して記憶媒体を排出する場合、安全に記憶媒体を排出するためにフローティング状態のフローティングシャーシを本体内に固定することが必要とされる。そこで従来、このような本体内には、記憶媒体を排出する際にフローティングシャーシを固定するためのフローティングロック装置を備えている。このような従来技術としては、例えば、特開平１１−３２８８０８号公報などに開示されている。図７は、このようにフローティング状態をロックする従来のフローティングロック装置を示す構成図である。
【０００４】
図７に示すように、従来のフローティングロック装置は、記憶媒体（図示せず）の記録または再生などのアクセスが可能な本体１１０と、この本体１１０内でダンパなどの弾性体１２６によりフローティング（浮遊）状態に支持して衝撃を緩和することで記憶媒体を載置してアクセスするフローティングシャーシ１２０と、このフローティングシャーシ１２０に配置されて記憶媒体の状態を感知して駆動するモータ１３３及びこのモータ１３３の動力を減速する複数の歯車からなるギヤ１３２を備えた駆動源１３０と、この駆動源１３０のギヤ１３２に係合して図７に示した左右方向に摺動するスライドカム１２２とを備えている。
【０００５】
ここで、スライドカム１２２には、底面から垂直下方向に延在するロック部１２２ｂを突出させて設けている。また、本体１１０には、スライドカム１２２が左右方向に摺動した際、ロック部１２２ｂに係合してフローティングシャーシ１２０の前後方向におけるフローティング状態をロックするロック凹部１１２を設けている。従って、本体１１０内では、記憶媒体をアクセス（記録・再生）する場合、駆動源１３０のモータ１３３からギヤ１３２を介して減速した動力をスライドカム１２２に伝達し、このスライドカム１２２を右方向に摺動させてロック部１２２ｂとロック凹部１１２との係合を外すことで、フローティングシャーシ１２０をフローティング状態にする。
【０００６】
一方、記憶媒体を排出する場合、駆動源１３０のモータ１３３を前述とは異なり逆回転させてギヤ１３２を介して減速した駆動力をスライドカム１２２に伝達し、このスライドカム１２２を左方向に摺動させてロック部１２２ｂとロック凹部１１２とを係合させることで、フローティングシャーシ１２０の前後方向の動きをロックする。ここで、本体１１０内には、図示されていないが、スライドカム１２２のカム溝１２２ａに係合してロック部１２２ｂとともに動作して左右上下方向の動きを同時にロックするフローティングロック装置も備えている。
このように、従来のフローティングロック装置は、フローティングシャーシ１２０の駆動源１３０によりロック部１２２ｂを動作させて本体１１０内に設けたロック凹部１１２に係合させることで、フローティングシャーシ１２０のフローティング状態をロックして記憶媒体を排出できるように形成していた。
【０００７】
【発明が解決しようとする課題】
しかしながら、従来のフローティングロック装置では、図７に示したように、ロック部１２２ｂをロック凹部１１２に係合したロック状態で外部から加わる衝撃を考慮しなければならず、ロック部１２２ｂやロック凹部１１２、或いはスライドカム１２２などの接続部品にもかなりの強度を必要とするため、部品点数が増えたり、その部品自体の補強のためにコストがかかってしまう。また、十分な強度を得ることが困難である場合、信頼性が低くなるという不具合があった。
本発明はこのような課題を解決し、フローティングロック時に最小の補強で外的衝撃に耐え、部品点数を削減して補強コストを低減する信頼性の高いフローティングロック装置を提供することを目的とする。
【０００８】
【課題を解決するための手段】
本発明は上述の課題を解決するために、記憶媒体の記録または再生いずれか一方或いは両方のアクセスが可能な本体と、この本体内にフローティング状態に支持されて衝撃を緩和することで記憶媒体を載置してアクセスを行うとともに一端に切り欠いた凹部を有したフローティングシャーシと、このフローティングシャーシに配置されて記憶媒体の状態を感知して駆動する駆動源と、フローティングシャーシに摺動可能に支持されて一端を前記駆動源に係合して他端に凹部で出没するロック部を有したロックアームとを備え、このロックアームが駆動源により駆動して記憶媒体のアクセス時にロック部を凹部内に収納してフローティングシャーシをフローティング状態にするとともに、記憶媒体の排出時にロック部を凹部からフローティングシャーシの一端に摺動させて本体との隙間に介在させることでフローティング状態をロックするように設け、フローティングシャーシには、凹部を形成した一端側にロックアームのロック部が離れることなく当接して摺動するように、ロック部側を付勢する弾性部材または前記ロック部側を誘導する誘導溝のいずれかを設ける。
【０００９】
ここで、駆動源は、記憶媒体の状態によって駆動して動力を伝達するモータと、このモータの動力を減速する複数の歯車からなるギヤとを有し、ギヤにカム溝を設けてロックアームの一端を係合することでギヤの回転によりロックアームが摺動するように設けることが好ましい。また、駆動源の他の実施例は、記憶媒体の状態によって駆動して動力を伝達するモータと、このモータに歯車を介して係合するスライドカムとを有し、スライドカムにカム溝を設けてロックアームの一端を係合することでスライドカムのスライドによりロックアームが摺動するように設けることが好ましい。また、ロックアームは、ギヤまたはスライドカムいずれかのカム溝に係合する一端を更にフローティングシャーシに形成したガイド溝に係合し、この一端をカム溝により誘導してガイド溝に沿って摺動するように設けることが好ましい。また、フローティングシャーシは、本体内でダンパなどの弾性体によりフローティング状態に支持していることが好ましい。また、本体は、ＭＤ、ＣＤ、ＤＶＤなどのディスクからなる記憶媒体を記録または再生いずれか一方或いは両方のアクセスが可能な装置の本体であることが好ましい。
【００１０】
【発明の実施の形態】
次に、添付図面を参照して本発明によるフローティングロック装置の実施の形態を詳細に説明する。図１は、本発明によるフローティングロック装置の第１実施形態を示す構成図である。また、図２は、図１に示したフローティングロック装置を下方から見た図である。また、図３は、図１に示したフローティングロック装置を後方から見た図である。また、図４は、図１に示したフローティングロック装置の動作を示す図であり、図４（ａ）はフローティング状態を、図４（ｂ）はロック状態を各々示している。また、図５は、本発明によるフローティングロック装置の第２実施形態を示す構成図である。また、図６は、本発明によるフローティングロック装置の第３実施形態を示す構成図である。
【００１１】
図１に示すように、本発明によるフローティングロック装置の第１実施形態は、図７に示した従来技術と同様に、記憶媒体（図示せず：例えば、ＣＤ、ＭＤ、ＤＶＤ等）の記録または再生いずれか一方或いは両方のアクセスが可能な本体１０と、この本体１０内にダンパなどの弾性体２６によりフローティング（浮遊）状態に支持して衝撃を緩和することで記憶媒体を載置してアクセス（記録・再生）するフローティングシャーシ２０と、このフローティングシャーシ２０に配置されて記憶媒体の状態を感知して駆動するモータ３３及びこのモータ３３の動力を減速する複数の歯車からなるギヤ３２を備えた駆動源３０とを設けている。また、本発明によるフローティングロック装置の第１実施形態は、図７に示した従来技術とは異なり、フローティングシャーシ２０の一端側に凹状に切り欠いた凹部２０ａを設け、このフローティングシャーシ２０に摺動可能に支持されて一端を駆動源３０のギヤ３２に係合して他端に凹部２０ａで出没するロック部２２ａを設けたロックアーム２２を備えている。また、凹部２０ａは、ロック部２２ａが容易に出没するように片側に傾斜する斜面を設けている。
【００１２】
ここで、駆動源３０は、図２及び図３に示すように、記憶媒体の状態によって駆動して動力を伝達するモータ３３と、このモータ３３の動力を減速するギヤ３２とを備え、このギヤ３２に渦巻き状のカム溝３２ａを設けてロックアーム２２の一端を係合することでギヤ３２の回転に応じてロックアーム２２を摺動できるように設けている。このロックアーム２２は、カム溝３２ａに係合する一端に上下垂直方向に延在する棒状の支点軸２２ｂ（図３参照）を設けてカム溝３２ａに係合している。また、ロックアーム２２は、カム溝３２ａに係合する支点軸２２ｂを更にフローティングシャーシ２０に形成したガイド溝２０ｂに係合し、この支点軸２２ｂを図２に示した渦巻き状のカム溝３２ａにより誘導してガイド溝２０ｂに沿って摺動するように設けている。また、フローティングシャーシ２０には、図１に示した凹部２０ａを形成した一端側でロックアーム２２のロック部２２ａが離れることなく当接して摺動するように、弾性部材２４によりロックアーム２２のロック部２２ａ側を付勢している。
【００１３】
このように形成された本発明によるフローティングロック装置の第１実施形態を用いてフローティング状態をロックまたは解除する場合、まず、記憶媒体のアクセス（記録・再生）時においては、図４（ａ）に示すように、駆動源３０のモータ３３を駆動してギヤ３２を回転させてロックアーム２２の支点軸２２ｂをカム溝３２ａの外周側に移動させる。これと同時にロックアーム２２は、ロック部２２ａがフローティングシャーシ２０の一端側に沿って摺動して弾性部材２４の付勢により凹部２０ａ内に収納することで、フローティングシャーシ２０をフローティング状態にする。
【００１４】
一方、アクセス（記録・再生）が終了して記憶媒体を排出する場合、図４（ｂ）に示すように、駆動源３０のモータ３３を駆動してギヤ３２を前述したアクセス時と逆方向に回転させてロックアーム２２の支点軸２２ｂをカム溝３２ａによりギヤ３２の中心近傍まで引き寄せるように摺動させる。これによりロックアーム２２は、ロック部２２ａが凹部２０ａの片側斜面に沿って外側に移動してフローティングシャーシ２０の一端に突出して本体１０との隙間Ｃに介在することで、フローティングシャーシ２０の前後方向に対するフローティング状態をロックする。
【００１５】
このように本発明によるフローティングロック装置の第１実施形態によると、図４に示したように、フローティングシャーシ２０と本体１０との隙間Ｃにロックアームのロック部２２ａを介在させてフローティング状態をロックする構造のため、ロックアーム２２の圧縮強度及びフローティングシャーシ２０の強度のみを補強することで外部衝撃に耐えることができ、部品点数を削減して、部品自体の補強コストを低減するとともに信頼性を向上することができる。
【００１６】
次に、図５及び図６を参照して本発明によるフローティングロック装置の第２及び第３の実施形態を詳細に説明する。まず、図５に示すように、本発明によるフローティングロック装置の第２実施形態は、第１実施形態と同様に、本体４０と、この本体４０内にフローティング状態に支持して凹部５０ａを備えるフローティングシャーシ５０と、このフローティングシャーシ５０で所定の動力を伝達するモータ６３及びこのモータ６３の動力を減速する複数の歯車からなるギヤ６２を備えた駆動源６０と、ギヤ６２のカム溝６２ａに係合する一端の支点軸５２ｂ及び他端に延在するロック部５２ａを備えたロックアーム５２とを備えている。また、第２実施形態は、第１実施形態とは異なり、ロックアーム５２を弾性部材（図１に示した２４）を用いて付勢せず、ロックアーム５２に誘導軸５２ｃを設けてフローティングシャーシ５０の誘導溝５０ｃに係合することでロック部５２ａが凹部５０ａを形成した一端側に当接して摺動するように誘導する軌跡を定めている。これにより第２実施形態では、第１実施形態と同様にロックアーム５２を摺動させてロック部５２ａによりフローティングシャーシ５０のフローティング状態をロックすることができる。但し、誘導溝５０ｃは、ロックアーム５２によりフローティングシャーシ５０のフローティング状態をロックした際、誘導軸５０ｃをロックした位置に規制しないように溝の幅を広く形成している。
【００１７】
このように本発明によるフローティングロック装置の第２実施形態によると、ロックアーム５２を摺動させてロック部５２ａによりフローティングシャーシ５０のフローティング状態をロックするため、第１実施形態と同様の効果が得られるとともに、誘導溝５０ｃを用いることで弾性部材が不要になり部品点数を削減することが可能になる。
【００１８】
一方、図６に示すように、本発明によるフローティングロック装置の第３実施形態は、第１実施形態と同様に、本体７０と、この本体７０内にフローティング状態に支持して凹部８０ａを備えるフローティングシャーシ８０と、このフローティングシャーシ８０に配置されて所定の駆動力を伝達する駆動源９０と、この駆動源９０に係合する一端の支点軸８２ｂ及び他端に延在するロック部８２ａを備えたロックアーム８２と、このロックアーム８２を付勢する弾性部材８４とを備えている。また、第３実施形態は、第１実施形態とは異なり、駆動力を伝達するモータ９３と、このモータ９３に歯車９２を介して係合するスライドカム９１とを備えて駆動源９０を形成し、スライドカム９１にカム溝９１ａを設けてロックアーム８２の支点軸８２ｂを係合することでスライドカム９１のスライドによりロックアーム８２が摺動するように設けている。このように第３実施形態では、第１実施形態の回転するギヤをスライドするスライドカム９１に変えた例であり、第１実施形態と同様にロックアーム８２を摺動させてロック部８２ａによりフローティングシャーシ８０のフローティング状態をロックすることができる。尚、第３実施形態では、第２実施形態のように、フローティングシャーシ８０にロックアームを誘導する誘導溝を設けた構造を採用することで弾性部材８４を削減することも可能である。
【００１９】
このように本発明によるフローティングロック装置の第３実施形態によると、ロックアーム８２を摺動させてロック部８２ａによりフローティングシャーシ８０のフローティング状態をロックするため、第１実施形態と同様の効果が得られるとともに、スライドカム９１を用いることでロックアーム８２の支点軸８２ｂが係合するカム溝９１ａを第１及び第２実施形態に比べて簡単な形状にでき部品コストを削減することができる。
【００２０】
従って、本発明によるフローティングロック装置は、ロックアームのロック部をフローティングシャーシと本体との隙間（フローティングストローク間）に介在してフローティング状態をロックする構造のため、このロックアームの圧縮強度及びフローティングシャーシの強度のみを補強することで外部衝撃に耐えうる十分な強度を得ることができ、部品点数を削減して、部品自体の補強コストを低減するとともに信頼性を向上することができる。
【００２１】
以上、本発明によるフローティングロック装置の実施の形態を詳細に説明したが、本発明は前述した実施の形態に限定されるものではなく、その要旨を逸脱しない範囲で変更可能である。
例えば、フローティングシャーシの図１に示した前後方向におけるフローティング状態をロックするロックアームを設けた実施の形態を説明したが、これに限定されるものではなく、同様の構成を多方向に設けることで前後左右上下全ての方向に対してロックできるように設けてもよい。
【００２２】
【発明の効果】
このように本発明によるフローティングロック装置によれば、フローティングロック時に最小の補強部で外的衝撃に耐えることができ、部品点数を削減して補強コストを低減するとともに、信頼性を向上することが可能になる。
【図面の簡単な説明】
【図１】本発明によるフローティングロック装置の第１実施形態を示す構成図。
【図２】図１に示したフローティングロック装置を下方から見た図。
【図３】図１に示したフローティングロック装置を後方から見た図。
【図４】図１に示したフローティングロック装置の動作を示す図。
【図５】本発明によるフローティングロック装置の第２実施形態を示す構成図。
【図６】本発明によるフローティングロック装置の第３実施形態を示す構成図。
【図７】従来のフローティングロック装置を示す構成図。
【符号の説明】
１０    本体
２０    フローティングシャーシ
２０ａ  凹部
２０ｂ  ガイド溝
２２    ロックアーム
２２ａ  ロック部
２２ｂ  支点軸
２４    弾性部材
２６    弾性体
３０    駆動源
３２    ギヤ
３２ａ  カム溝
３３    モータ
【図１】
0003704484.tif 000002
【図２】
0003704484.tif 000003
【図３】
0003704484.tif 000004
【図４】
0003704484.tif 000005
【図５】
0003704484.tif 000006
【図６】
0003704484.tif 000007
【図７】
0003704484.tif 000008